(57)【要約】【課題】小規模な医療機関に応じた診断支援システムであって、画像データ又は医療データについて未読かどうかを容易に判別できる診断支援システムを提供する。【解決手段】制御装置３では、通信部を介して画像生成装置２から画像データが取得されるか、或いは検査装置４から医療データが取得されると、未読であることを示す未読情報を生成し、付帯させた後、データメモリに記憶させる。そして、患者の指定がなされると、制御部では、この指定患者の一患者分の画像データ又は医療データをデータメモリから読み出し、表示部上に時系列に並べて一覧表示させるとともに、この一覧表示する画像データ又は医療データのうち、未読情報が付帯されている画像データ又は医療データについては、未読マークを前記一覧表示において表示させる。【選択図】図２
2008192044.tif 000002
【特許請求の範囲】
【請求項１】
患者を撮影し画像データを生成する複数の画像生成装置又は患者の医療データを入力する入力装置のうち少なくとも一つと、前記生成された画像データ及び／又は前記入力された医療データを患者情報と対応付けて管理する制御装置と、を備えた診断支援システムにおいて、
前記制御装置は、
前記生成された画像データ又は前記入力された医療データを記憶する記憶手段と、
前記記憶された画像データ又は医療データのうち、未表示の画像データ又は医療データについては未読であることを示す未読情報を生成し、付帯させる付帯制御手段と、
前記記憶された画像データ又は医療データを表示可能な表示手段と、
一患者分の画像データ又は医療データを前記記憶手段から読み出し、前記表示手段上に時系列に並べて一覧表示させるとともに、この一覧表示する画像データ又は医療データのうち、未読情報が付帯されている画像データ又は医療データについては、未読の旨を示す指標を前記一覧表示において表示させる表示制御手段と、
を備えることを特徴とする診断支援システム。
【請求項２】
前記表示制御手段は、一患者分の画像データ又は医療データを前記記憶手段から読み出し、この画像データ又は医療データに付帯された未読情報に基づいて、当該画像データ又は前記医療データの種類毎に、未読の画像データ又は医療データの有無を前記表示手段上に表示させることを特徴とする請求項１に記載の診断支援システム。
【請求項３】
前記付帯制御手段は、前記生成された画像データ又は前記入力された医療データについて、その取得日の日付情報を生成して付帯させ、
前記表示制御手段は、一患者分の画像データ又は医療データを前記記憶手段から読み出し、この画像データ又は医療データに付帯された日付情報及び未読情報に基づいて、当該画像データ及び医療データの取得日毎に、未読の画像データ又は医療データの有無を前記表示手段上に表示させることを特徴とする請求項１に記載の診断支援システム。
【発明の詳細な説明】
【技術分野】
【０００１】
本発明は、小規模な医療機関において診察のワークフローに応じて動作する診断支援システムに関する。
【背景技術】
【０００２】
従来、病院等の大規模な医療機関では、患者を受け付けて検査、診察を終了するまでの一連のワークフローを支援する大規模診断支援システムが開発されている。例えば、ＰＡＣＳ（Picture Archiving and Communication System）等の大規模診断支援システムでは、一連のワークフローに合わせて、（１）患者情報の登録処理、（２）検査撮影による撮影画像のデジタル化（コンソール機能）、（３）撮影画像に対する画像処理、（３）読影のための撮影画像の表示処理（ビューア機能）、（４）会計処理等、各作業に応じた処理機能を、ネットワーク接続により連携した複数の端末に分散させている。
【０００３】
大規模な医療機関では、医師も診察を行う医師（参照医）と、読影を行う医師（読影医）とで分業化されており、参照医、読影医も複数人存在する。そこで、撮影画像の重複読影を防ぐため、読影対象の複数患者分の撮影画像を選択する選択画面において、読影済みのものについてはその旨を通知するメッセージを表示する方法が考えられている（例えば、特許文献１参照）。
【０００４】
また、読影の際には、撮影画像の画像解析を行って異常陰影の候補を検出する、ＣＡＤ（Computer-Aided Diagnosis）と呼ばれる装置が用いられることがある。このＣＡＤにおいても検出結果の重複読影を防ぐため、表示中の画像上に読影済みである旨を示すマークを表示している（例えば、特許文献２参照）。
【特許文献１】特開２００５−８４９２３号公報
【特許文献２】特開２０００−３４６４０１号公報
【発明の開示】
【発明が解決しようとする課題】
【０００５】
しかしながら、開業医等の小規模な医療機関では、医師と看護士等、少人数で上記ワークフローをこなすことが多く、医師一人で全ての作業を行う場合も多い。よって、小規模な医療機関には分業化された大規模な診断支援システムをそのまま導入することができない。
【０００６】
すなわち、上記のような大規模な医療機関では、一般的に読影医の診断（読影）日時に合わせ、予め必要な画像データや検査結果のデータを取得して準備しておき、ＰＡＣＳ等において保存しておく。そして、読影当日に読影医はＰＡＣＳより患者毎のデータを順次取得して端末側で表示するといったワークフローとなる。
一方、開業医等の小規模施設におけるワークフローでは、１人の患者についてある撮影画像の読影開始後、読影が終わりきらないうちに当該患者の次の撮影画像が入力される可能性がある。
【０００７】
また、撮影画像の他にも、血液検査や生理検査等の結果も表示する必要があるが、外部の検査センター等に委託することもあり、診察時にすぐにその結果を表示することができない場合がある。そのため、後日これら検査結果が得られた時点で表示することとなるが、この際、医師が当該検査結果の閲覧を失念する場合が考えられる。
【０００８】
本発明の課題は、小規模な医療機関に応じた診断支援システムであって、画像データ又は医療データについて未読かどうかを容易に判別できる診断支援システムを提供することである。
【課題を解決するための手段】
【０００９】
請求項１に記載の発明は、
患者を撮影し画像データを生成する複数の画像生成装置又は患者の医療データを入力する入力装置のうち少なくとも一つと、前記生成された画像データ及び／又は前記入力された医療データを患者情報と対応付けて管理する制御装置と、を備えた診断支援システムにおいて、
前記制御装置は、
前記生成された画像データ又は前記入力された医療データを記憶する記憶手段と、
前記記憶された画像データ又は医療データのうち、未表示の画像データ又は医療データについては未読であることを示す未読情報を生成し、付帯させる付帯制御手段と、
前記記憶された画像データ又は医療データを表示可能な表示手段と、
一患者分の画像データ又は医療データを前記記憶手段から読み出し、前記表示手段上に時系列に並べて一覧表示させるとともに、この一覧表示する画像データ又は医療データのうち、未読情報が付帯されている画像データ又は医療データについては、未読の旨を示す指標を前記一覧表示において表示させる表示制御手段と、
を備えることを特徴とする。
【００１０】
請求項２に記載の発明は、請求項１に記載の診断支援システムにおいて、
前記表示制御手段は、一患者分の画像データ又は医療データを前記記憶手段から読み出し、この画像データ又は医療データに付帯された未読情報に基づいて、当該画像データ又は前記医療データの種類毎に、未読の画像データ又は医療データの有無を前記表示手段上に表示させることを特徴とする。
【００１１】
請求項３に記載の発明は、請求項１に記載の診断支援システムにおいて、
前記付帯制御手段は、前記生成された画像データ又は前記入力された医療データについて、その取得日の日付情報を生成して付帯させ、
前記表示制御手段は、一患者分の画像データ又は医療データを前記記憶手段から読み出し、この画像データ又は医療データに付帯された日付情報及び未読情報に基づいて、当該画像データ及び医療データの取得日毎に、未読の画像データ又は医療データの有無を前記表示手段上に表示させることを特徴とする。
【発明の効果】
【００１２】
請求項１に記載の発明によれば、未読情報の付帯によって画像データ又は医療データについて未読かどうかを管理することができる。また、指定患者の画像データ、医療データの一覧表示において未読の指標を表示することにより、医師は容易に未読の画像データ又は医療データを把握することが可能となる。小規模の医療機関では、複数人の患者に対する診察、読影等の一連の作業を一人の医師で担うことが多いため、患者毎に画像データや医療データが一覧表示された状態で未読かどうかを判断できる表示態様は、小規模の医療機関における医師のワークフローに最適であり、特に有効である。
【００１３】
請求項２に記載の発明によれば、医師は画像データ又は医療データの種類毎に未読の有無を把握することが可能となる。よって、未読の画像データ又は医療データの有無だけでなく、どの種類のものが未読であるのかを容易に把握することができる。
【００１４】
請求項３に記載の発明によれば、医師は画像データ又は医療データの取得日毎に未読の有無を把握することが可能となる。よって、未読の画像データ又は医療データの有無だけでなく、いつのものが未読であるのかを容易に把握することができる。
【発明を実施するための最良の形態】
【００１５】
まず、構成を説明する。
図１に、本実施形態における診断支援システム１のシステム構成を示す。診断支援システム１は、開業医やクリニック等の比較的小規模の医療機関に適用され、患者の受付から検査撮影、医師の診察、会計までの一連の作業を支援するためのシステムである。
【００１６】
診断支援システム１は、図１に示すように超音波撮影装置２ａ、内視鏡撮影装置２ｂ、ＣＲ（Computed Radiography）撮影装置２ｃ、制御装置３、検査装置４、受付装置５を備えて構成されている。各構成装置はＬＡＮ等のネットワーク６を介して互いに通信可能に接続されている。制御装置３は、医師の常駐場所である診察室に設けられたＷＳ（ワークステーション）であることが好ましい。
【００１７】
病院内の通信方式としては、一般的に、ＤＩＣＯＭ（Digital Image and Communications in Medicine）規格が用いられており、ＬＡＮ接続された各装置間の通信では、ＤＩＣＯＭ  ＭＷＭ(Modality Worklist Management)やＤＩＣＯＭ  ＭＰＰＳ（Modality Performed Procedure Step）が用いられる。なお、本実施形態に適用可能な通信方式はこれに限定されない。
【００１８】
図２に、診断支援システム１の各構成装置が小規模な医療機関に適用された例を示す。
図２に示す医療機関は、受付１１、待合室１２、診察室１３、Ｘ線撮影室１５、検査室１６の複数エリアに分割されている。受付１１には受付装置５、診察室１３には制御装置３、超音波撮影装置２ａ、検査室１６には内視鏡撮影装置２ｂ、検査装置４、Ｘ線撮影室にはＣＲ撮影装置２ｃと、各エリアに分散して配置されている。
【００１９】
患者は受付において受付手続を行った後、診察室に移動し、医師による問診を受ける。そして、検査撮影の必要があると判断されれば、撮影室や検査室に移動し、撮影、検査を受けて再度、診察室に戻る。検査や撮影の結果を受けて医師の診察を受けると、再度受付で会計や投薬の受け取りをする。診断支援システム１は、このような一連の動作を同一フロア等、比較的短い移動で行うことができる小規模な医療機関に適用されるのである。
【００２０】
以下、各構成装置について説明する。
超音波撮影装置２ａ、内視鏡撮影装置２ｂ、ＣＲ撮影装置２ｃは、撮影によって患者の撮影画像データを生成するものである。以下、これらを総称して画像生成装置２ということがある。これら画像生成装置２で生成された撮影画像データは撮影が行われる毎に制御装置３に送信される。
なお、各画像生成装置２には識別情報としてモダリティＩＤが付与されている。
【００２１】
超音波撮影装置２ａは、超音波を出力する超音波プローブを備えている。超音波撮影装置２ａは、超音波プローブから体内に超音波を送り、体内組織に反射した音波（エコー信号）を再び超音波プローブで受信し、当該エコー信号に基づいて撮影画像を生成する。
【００２２】
超音波撮影装置２ａは、アナログ信号からデジタル信号への信号変換等を行う変換装置２１を介してネットワーク６に接続されている。変換装置２１は、前記信号変換の他、データ形式の変換を行う。例えば、外部から入力されたデータが超音波撮影装置２ａで適用されているデータ形式と外部で適用されているデータ形式とを相互に変換する。
【００２３】
変換装置２１は、ＤＩＣＯＭ規格に準じた形式で診断支援システム１内の画像データを特定するための識別情報としてＵＩＤ（ユニークＩＤ）を画像データに付帯する機能を備えている。ＵＩＤは、画像生成装置２のモダリティＩＤ、撮影日時を示す数字等から構成される。なお、本実施形態において、モダリティＩＤは画像生成装置２の種類を示す情報を含んで構成されているものとする。
【００２４】
内視鏡撮影装置２ｂは、管の先端に小型のカメラが設けられた撮影部を備えて構成されている。撮影部は、照明用のＬＥＤ（Light Emitting diode）、光学レンズ、ＣＣＤ（Charge Coupled Device）等の光学素子からなり、光学レンズで集光した光学像をＣＣＤにより撮像する。撮像により得られた画像信号は信号処理部によりデジタル変換された後、制御装置３へ送信される。
【００２５】
ＣＲ撮影装置２ｃは、カセッテを用いて放射線撮影を行うものであり、撮影装置２２、読取装置２３から構成されている。カセッテは筐体内に放射線を検出する蛍光体プレートを収容したものである。なお、Ｘ線量に応じた画像データを直接生成するＦＰＤ（Flat Panel Detector）を適用することとしてもよい。ＦＰＤは筐体内に光電変換素子がマトリクス状に配置されたものである。この場合、読取装置２３は設けられず、撮影装置２２においてＦＰＤからデータが抽出されて制御装置３へ送信される。
【００２６】
撮影装置２２は、放射線源、カセッテを装着する撮影台等から構成されている。放射線源から患者に対して放射線を照射し、当該患者を透過した透過放射線をカセッテ内の蛍光体プレートで検出する。
【００２７】
読取装置２３は、カセッテの装填が可能に構成され、当該カセッテの蛍光体プレートにより検出された放射線の放射線量に応じた画像データを生成するものである。読取装置２３の内部には、演算、制御を行う制御部、記憶部の他、蛍光体プレートに励起光を照射し、その励起光を光電変換することにより放射線量に応じた画像信号（アナログ信号）を生成する画像生成部、当該アナログ信号に信号処理を施した後、デジタル化する信号処理部等が設けられている。
【００２８】
なお、内視鏡撮影装置２ｂ、ＣＲ撮影装置２ｃの読取装置２３は、上述の変換装置２１の機能と同様、生成された画像データにＵＩＤを付帯する機能を備えている。
【００２９】
検査装置４は、心電波形を検出して波形データを取得する心電波検出装置、体温、血圧、身長、体重等のバイタルデータを取得するバイタルセンサ、肺音、心音、声等の生体音データを取得する集音器等である。検査装置４は、取得した検査結果のデータ（上述の波形データ、バイタルデータ、生体音データ等）を制御装置３に送信する。すなわち、制御装置３に医療データを入力する入力装置として機能する。送信時には、検査装置４において患者氏名等の患者情報をキーボード等により入力操作可能としておき、この入力された患者情報を検査結果のデータに付帯させて送信することとしてもよい。
【００３０】
受付装置５は、受け付けた患者の氏名、性別等の検査対象情報の入力を受け付けて処理するレセプトコンピュータである。受付装置５は、検査対象情報が入力された受付患者について受け付けた順に連番で受付番号を付与し、この受付番号順に患者情報をリスト化する（これを患者情報リストという）。作成された患者情報リストのデータが制御装置３に送信される。患者情報リストは、検査対象となる患者の一覧を示す患者情報リストであり、患者の氏名等の患者情報と、受付番号とが対応付けられた簡易なものが作成される。なお、性別や生年月日等の他の項目を患者情報リストに設けることとしてもよい。
【００３１】
受付装置５では、患者を受け付ける毎に受け付けた新規の患者をこの患者情報リストに加え、会計処理が終了する毎に患者情報リストから会計処理が終了した患者を削除して、患者情報リストを更新する。
また、受付装置５は会計処理を行う。受付装置５はプリンタに接続され、検査撮影及び診察終了後、オペレータにより入力された検査結果情報、診察結果情報又は処方箋情報等に基づいて、患者毎の診察費用を算出し、請求書をプリンタにより出力する。また、処方箋情報に基づいて処方箋のプリント出力も行う。
【００３２】
制御装置３は、医師が制御操作を行うためのコンソールであり、医師の指示操作に従って、画像生成装置２における撮影画像のデジタル化に係る画像生成条件や、撮影画像の画像処理条件、撮影画像とその撮影対象となった患者の患者情報との対応付けを行う等、画像制御を行う。患者情報との対応付けは、直接データのヘッダ等に患者情報を書き込む等して患者情報をデータに付帯させる場合の他、患者毎に設けられたフォルダ内に患者情報及び画像データ等を保存する等してもよい。
また、制御装置３は、検査撮影により得られた撮影画像を表示するビューアとしても機能する。
なお、この制御装置３において診察時の所見、シェーマの入力、レポート作成等が可能な電子カルテ機能を実現することとしてもよい。
【００３３】
図３に、制御装置３の内部構成を示す。
図３に示すように、制御装置３は、制御部３１、操作部３２、表示部３３、通信部３４、記憶部３５、データメモリ３６を備えて構成されている。
【００３４】
制御部３１は、ＣＰＵ（Central Processing Unit）、ＲＡＭ（Random Access Memory）等を備え、記憶部３５に記憶されている各種制御プログラムを読み出し、当該制御プログラムとの協働により、各種演算を行うとともに各部３２〜３６の動作を集中制御する。
【００３５】
操作部３２は、キーボードやマウス等を備え、これらの操作に応じた操作信号を生成して制御部３１に出力する。この操作部３２を介して検査結果や薬歴等の医療データの入力操作が可能であり、この場合、操作部３２は医療データの入力装置として機能する。
表示部３３は、ＬＣＤ（Liquid Crystal Display）等のディスプレイを備え、制御部３１の制御に従ってこのディスプレイ上に操作画面や撮影画像等の各種表示を行う。
【００３６】
通信部３４は、通信用のインターフェイスを備え、ネットワーク６上の外部装置と通信を行う。例えば、通信部３４は画像生成装置２から撮影画像データを受信したり、検査装置４から検査結果の医療データを受信したりする。この場合、通信部３４は医療データの入力装置として機能する。
記憶部３５は、制御部３１で実行可能な制御プログラムや画像処理プログラム等の他、各プログラムの実行に必要なパラメータやデータ等を記憶している。
【００３７】
データメモリ３６は、画像データ、医療データを記憶するためのメモリである。ここで、画像データには撮影画像データやその処理画像データ等が含まれる。また、医療データとは患者の診療に関するデータをいい、例えば検査装置４による検査結果のデータや、検体検査の検査結果、薬歴等のデータが含まれる。なお、医療データは検査装置４からネットワーク６を介して入力される場合の他、操作部３２を介して医師等の操作入力によって得られる場合もある。例えば、外部の検査機関に検査を依頼し、その結果が印刷物等、データ以外のもので得られた場合にはその検査結果を操作入力する。なお、検査結果が印刷された用紙等からその画像データを読み取るスキャナ等を医療データの入力装置として用いてもよい。
【００３８】
データメモリ３６では、画像データ及び医療データを記憶する。画像データ及び医療データはフォルダによって管理されている。
図４は、データメモリ３６におけるフォルダ構成例を示す図である。なお、図４では一患者分のフォルダ構成を示しているが、データメモリ３６ではこのようなフォルダが複数患者分作成されて管理されている。また、以下の説明において、フォルダにデータを格納するとは、実際にはデータメモリ３６におけるデータの保存場所を示す情報がフォルダに対応付けて記憶されることをいう。フォルダ内のデータの読出時には、まず所望のフォルダを検索し、検索されたフォルダに対応するデータの保存場所を読み出して当該保存場所からデータを読み出すこととなる。
【００３９】
図４に示すように、データメモリ３６では患者情報を格納するフォルダＦ１が患者ごとに設けられ、このフォルダＦ１に対応付けて、ＣＲ撮影装置２ｃ、超音波撮影装置２ａ、内視鏡撮影装置２ｂによる画像データをそれぞれ格納するフォルダＦ２が設けられている。また、心電図の検査装置４による検査結果、検体検査、薬歴の医療データをそれぞれ格納するフォルダＦ３が設けられている。各フォルダＦ２、Ｆ３においては、画像データ又は医療データをさらに分類したフォルダＦ４、Ｆ５が設けられる場合がある。例えば、検体検査では血液検査、生理検査の２種類があるため、検体検査のフォルダＦ３内にはさらに血液検査、生理検査のフォルダＦ５が設けられている。
【００４０】
医師が未読（未読とは、画像データの場合は未だ読影されていないことをいい、医療データの場合は未だ閲覧されていないことをいう。以下、まとめて未読という）である画像データや医療データ、つまり未だ読影のために表示されていない画像データ又は医療データには、未読である旨を示す未読情報が付帯されて各フォルダＦ２〜Ｆ５に格納されている。図４において「既」と付した画像データ又は医療データは未読情報が付帯されておらず、「未」と付した画像データ又は医療データは未読情報が付帯されたデータであることを示している。
また、画像データや医療データには、そのデータが制御装置３において取得された日付の情報も付帯されている。
【００４１】
なお、フォルダの作成、編集、フォルダへの画像データ及び医療データの振り分け等は、制御部３１において行う。
また、未読情報、取得日の日付情報の付帯についても、制御部３１が行う。例えば、画像データの場合、通信部３４を介して画像データを受信すると、制御部３１においてその受信した日付を取得日の日付情報として生成し、未読情報とともに画像データのヘッダに書き込み、付帯させる。そして、画像データに付与されているＵＩＤを参照してその画像生成装置２の種類を判別し、その種類に応じたフォルダへ画像データを格納する。その後、当該画像データについて表示が行われると、制御部３１は当該画像データのヘッダから未読情報を削除する。検査装置４から医療データが受信された場合も同様である。一方、操作部３２を介して入力された医療データの場合、制御部３１は操作部３２を介して医師により指定されたフォルダへ当該医療データを格納する。その際に未読情報及び医療データが入力された日付の情報を医療データのヘッダに書き込み付帯させる。
【００４２】
次に、上記診断支援システム１の動作について説明する。
最初に、患者の診察の流れについて説明する。
患者が来院すると、受付１１において患者に対し受付番号札が付与される。受付装置５では受付患者の受付番号及び患者氏名等の患者情報が入力（受付入力）されると、患者情報のリスト（患者情報リスト）を生成（更新）し、記憶する。患者情報リストは、例えば本日の最初の患者が受付入力されると新たに生成し、次の患者が受付入力される毎に新しい患者情報リストに更新する。
【００４３】
受付番号が付与された患者が診察室１３に移動すると、医師により問診が行われ、行うべき撮影、検査が決定される。
問診により患部の撮影が必要であると決定された場合には、撮影技師又は医師等の撮影を行う撮影実施者は、患者を画像生成装置２（超音波撮影装置２ａ、内視鏡撮影装置２ｂ、又はＣＲ撮影装置２ｃ）の前に連れて行き、撮影作業を行う。例えば、画像生成装置２がＣＲ撮影装置２ｃの場合、撮影装置２２において撮影操作を行い、撮影装置２２において撮影済みのカセッテを読取装置２３にセットし、カセッテに記録された放射線画像の読み取り操作を行う。
画像生成装置２では、撮影実施者の操作に応じて撮影及び画像データの生成を行い、生成された画像データに上述のＵＩＤを付帯して制御装置３へ送信する。
【００４４】
問診により、例えば、血圧、体温、心電図等の検査が必要であると決定された場合、医師又は看護士は、患者に対し、検査装置４で検査のための操作を行う。検査装置４では、検査のための処理を実行し、その検査結果のデータを生成して制御装置３に送信する。
撮影や検査が終了すると、医師は制御装置３において、画像生成装置２から受信された撮影画像データや検査装置４から受信された検査結果の医療データの表示操作を行い、表示された画像データや医療データを参照して患者の診察を行う。
【００４５】
次に、制御装置３において実行される検査結果の表示処理について、図５を参照して説明する。この表示処理は、記憶部３５に格納されているプログラムと制御部３１との協働により実現される処理である。
図５に示すように、制御装置３では通信部３４を介して受付装置５から患者情報リストのデータを取得すると、制御部３１の制御により当該患者情報リストを表示部３３上に表示する（ステップＳ１）。
【００４６】
医師は、表示された患者情報リストにおいて診察対象の患者を選択し、操作部３２を介して当該患者の指定操作を行う。
制御装置３では、操作部３２を介して患者が指定されると（ステップＳ２）、制御部３１において指定された患者の患者情報（氏名等）を患者情報リストから取得し、その患者情報に対応する画像データ及び医療データをデータメモリ３６から読み出す（ステップＳ３）。具体的には、データメモリ３６内において指定患者のフォルダＦ１を検索する。指定患者のフォルダＦ１が検索されると、当該フォルダＦ１内の画像データ及び医療データをデータメモリ３６から読み出す。
【００４７】
次いで、制御部３１は読み出した画像データ及び医療データに設定されている未読情報及び取得日の日付情報を参照する。そして、未読情報に基づいて読み出した画像データ及び医療データが既読か未読かを判別する（ステップＳ４）。つまり、未読情報が付帯されていれば未読、付帯されていなければ既読と判別する。
【００４８】
判別を終えると、制御部３１は取得日の日付情報に基づいて、読み出した画像データ及び医療データを時系列に表示するサマリ画面を作成し、表示部３３上に表示させる。このとき、制御部３１は表示する画像データ及び医療データのそれぞれについてその取得日を表示させるとともに、未読と判別された画像データ及び医療データについては未読マークＭを付して表示させる（ステップＳ５）。未読マークＭは、未読であることを示す指標である。
【００４９】
図６に、サマリ画面の例を示す。
図６（ａ）に示すサマリ画面ｄ１は画像データ表示用の画面であり、図６（ｂ）に示すサマリ画面ｄ２は医療データ表示用の画面である。何れも画像データ又は医療データに係る指定患者の氏名の他、スクロールキー等の操作用のキー群ｋ３が表示されている。
また、サマリ画面ｄ１、ｄ２にはオンラインキーｋ１が設けられている。オンラインキーｋ１については後述する。
【００５０】
図６（ａ）に示すサマリ画面ｄ１には、ＣＲ、超音波、内視鏡と、画像生成装置２の種類ごとに領域が設けられている。画像データのサムネイル画像ｄ１１はその画像データが生成された画像生成装置２に応じた領域に分類されて一覧表示されている。サムネイル画像ｄ１１は画像データの表示指示をするためのアイコンとしても機能するものである。
サムネイル画像ｄ１１は時間軸においてその画像データの取得日に対応する位置に配置されている。これにより、サムネイル画像ｄ１１は時系列に表示されることとなる。
また、各サムネイル画像ｄ１１には、その取得日の日付情報に基づいて取得日が表示されているとともに、画像データに未読情報が付帯されている場合にはそのサムネイル画像ｄ１１に未読マークＭが付されて表示されている。
【００５１】
一方、図６（ｂ）に示すサマリ画面ｄ２には、心電図、血液検査、生理検査、薬歴等の医療データの種類ごとに、その医療データを示す検査アイコンｄ２１が表示されている。検査アイコンｄ２１はその操作により、検査アイコンｄ２１に対応する医療データの詳細を表示することを指示することができる。
検査アイコンｄ２１は、サムネイル画像ｄ１１と同様に、時間軸においてその取得日に応じた位置に表示され、時系列に配置されている。また、医療データに未読情報が付帯されている場合にはその検査アイコンｄ２１に未読マークＭが付されて表示されている。
【００５２】
医師は、サマリ画面ｄ１、ｄ２で一覧表示された画像データ及び医療データについて、未読マークＭによって未読か否かを判別し、未読の画像データ又は医療データについて読影を行いたい場合には該当するサムネイル画像ｄ１１又は検査アイコンｄ２１を操作する。
【００５３】
制御装置３では、操作部３２を介してサムネイル画像ｄ１１又は検査アイコンｄ２１が操作され、読影の指示がなされると（ステップＳ６；Ｙ）、制御部３１はサムネイル画像ｄ１１又は検査アイコンｄ２１により指定された画像データ又は医療データをデータメモリ３６から読み出し、表示部３３上に表示させる。このとき、制御部３１は表示した画像データ又は医療データについて付帯されていた未読情報を削除する（ステップＳ７）。なお、未読情報の削除は画像データ又は医療データの表示を終了した時点で行い、以後その画像データ又は医療データを表示する際には未読マークＭは付さない。
【００５４】
一方、操作部３２を介して読影の指示がなされない場合には（ステップＳ６；Ｎ）、制御部３１は画像データ又は医療データが取得されたか否かを判断する（ステップＳ８）。具体的には、通信部３４を介して画像生成装置２から画像データが受信されたか、検査装置４からの検査結果の医療データが受信されたか、或いは操作部３２を介して検査結果の医療データの操作入力がなされたか等を判断する。
【００５５】
画像データ又は医療データが取得された場合（ステップＳ８；Ｙ）、制御部３１はサマリ画面ｄ１、ｄ２においてオンラインキーｋ１を点滅表示させる（ステップＳ９）。ここで、オンラインキーｋ１とは画像データ又は医療データを患者情報と対応付ける際のモードを選択するための操作キーであり、点滅した状態で１回押下するとオンラインモード、点滅した状態で長押しするとオフラインモードを選択することができる。オンラインモードとは、現在表示中のサマリ画面ｄ１、ｄ２で指定されている患者の患者情報と取得された画像データ及び医療データを対応付けるモードであり、オフラインモードは取得した時点ではすぐには対応付けずに、後に対応付けることができるよう一時保存しておくモードである。
【００５６】
オンラインキーｋ１は、図６に示すように画像データ及び医療データの種類毎に設けられている。なお、画像データの種類とは画像データが生成された画像生成装置２の種類をいい、医療データの種類とは心電図、血液検査等の検査の種類や薬歴等、データの内容による分類をいう。制御部３１は取得したのが画像データであればそのＵＩＤを参照し、画像生成装置２に応じたオンラインキーｋ１を点滅表示させる。また、医療データであればその送信元の検査装置４に応じたオンラインキーｋ１を表示させる。操作部３２を介して入力されたのであれば、その際に指定された医療データの種類に応じたオンラインキーｋ１を表示させる。
医師はオンラインモードを選択する場合には操作部３２を介して点滅しているオンラインキーｋ１を１回操作し、オフラインモードを選択する場合には長押し操作する。
【００５７】
操作部３２を介してオンラインキーｋ１が１回操作された場合、制御部３１はオンラインモードが選択されたと判断し（ステップＳ１０；オンライン）、取得された画像データ又は医療データにサマリ画面ｄ１、ｄ２における指定患者の患者情報を対応付けて、データメモリ３６の当該指定患者のフォルダに格納する。またこのとき、制御部３１は取得日の日付情報及び未読情報を生成して、画像データ及び医療データに付帯させる（ステップＳ１１）。
【００５８】
一方、操作部３２を介してオンラインキーｋ１が長押し操作された場合、制御部３１はオフラインモードが選択されたと判断し（ステップＳ１０；オフライン）、データメモリ３６において未確定フォルダを作成する。そして、制御部３１は取得日の日付情報及び未読情報を生成して取得された画像データ又は医療データに付帯させた後、これを作成した未確定フォルダに格納する（ステップＳ１２）。
【００５９】
後にサマリ画面ｄ１、ｄ２に設けられている未確定キーｋ２を押下することにより、その対応付けを行うための操作画面が表示されるので、未確定フォルダに格納された画像データ又は医療データについては、当該操作画面上において対応付けを行うことが可能となる。具体的には操作画面上に患者情報リストと、未確定フォルダに格納された画像データ又は医療データの一覧リストを表示する。医師がこの患者情報リストと未確定フォルダのデータ一覧リストの中から対応付けるものをそれぞれ選択操作すると、制御部３１は選択された患者情報と画像データ又は医療データとを対応付けて、その患者のフォルダＦ１へ格納することとなる。
【００６０】
以上のように、本実施形態によれば、画像データ又は医療データに未読情報を付帯することによって、個々の画像データ又は医療データについて未読か否かを管理することができる。また、指定患者の画像データや医療データを一覧表示するサマリ画面ｄ１、ｄ２において、未読情報が付帯された画像データ又は医療データについては未読の旨を示す未読マークＭを付して表示する。これにより、医師は画像データ又は医療データの一覧表示において未読のものを容易に把握することができる。
【００６１】
小規模の医療機関では診察、撮影画像の読影等を一人の医師によってこなすことが多い。よって、患者ごとにその患者の画像データや医療データを一覧表示する表示形態は小規模医療機関における医師のワークフローに最適である。また、このような一覧表示において未読マークＭにより未読か否かを示すことによって、一人の患者の診察時にまだ読影していない画像データの有無や、依頼していた検査結果の医療データの有無等を容易にかつ全体的に把握することが可能である。従って、一覧表示において未読マークＭを表示する形態は、小規模の医療機関における医師の診断支援において有効な表示形態となる。
【００６２】
なお、上述した説明は、本発明を適用した好適な一例であり、これに限定されない。
例えば、上記実施形態ではサマリ画面ｄ１、ｄ２において画像データ及び医療データを一覧表示する場合に未読マークＭを用いて医師に未読であることを知らしめていたが、画像データ又は医療データの種類ごと、或いは画像データ又は医療データの取得日ごとに、画像データ及び医療データを表示する場合にも未読マークＭを表示することとしてもよい。
【００６３】
図７に示すのは、指定患者の画像データ又は医療データの表示画面ｄ３の図である。この表示画面ｄ３は制御部３１によって作成される。表示画面ｄ３には指定された来院日における画像データ又は医療データの中から表示する画像データを選択するための操作領域ｄ３１、サムネイル画像を表示するためのサムネイル領域ｄ３２、画像データを表示するための画像領域ｄ３３が設けられている。
【００６４】
操作領域ｄ３１では指定の来院日における画像データ又は医療データのフォルダ構成が図示化されている。各フォルダｄ３１２は画像データ又は医療データの種類毎に設けられている。未読情報が付帯されている画像データを格納しているフォルダｄ３１２にはその未読の画像データ又は医療データの数を示す数字（かっこ内の数字）が付されている。この数字により医師は種類ごとに未読の画像データ又は医療データの有無を判別することができるとともに、その数も把握することができる。また、各フォルダｄ３１２の先頭には未読フォルダｄ３１１が設けられ、各フォルダｄ３１２内にある未読の画像データ又は医療データの合計数を示す数字が表示されている。
【００６５】
また、サムネイル領域ｄ３２では、未読情報が付帯されている画像データのサムネイル画像ｄ３２１が一覧表示されている。サムネイル画像ｄ３２１には未読を示す未読マークＭが付される。このサムネイル領域ｄ３２においてサムネイル画像ｄ３２１をクリック操作することによっても、読影したい画像データ等を選択することが可能である。
画像領域３３ｄでは、操作領域ｄ３１又はサムネイル領域ｄ３２において選択された画像データが表示されるが、ここでも表示された画像データに未読情報が付帯されている場合には未読マークＭが付される。その後、この表示された画像データの読影の終了操作がなされると、制御部３１は当該画像データに付帯されていた未読情報を削除する。
【００６６】
一方、図８は画像データ又は医療データの取得日毎に未読の有無を表示する場合の表示画面例である。この表示画面ｄ４は、上記表示画面ｄ３と操作領域の部分が異なるのみでその他の構成は同一である。
表示画面ｄ４の操作領域ｄ４１では、画像データ又は医療データの取得日ごとのフォルダｄ４１２が制御部３１により作成されて表示される。そして、その取得日における画像データ又は医療データであって未読情報が付帯されたものがあれば、その取得日のフォルダｄ４１２に未読の画像データ又は医療データの数を示す数字（かっこ内の数字）が表示される。この数字により、医師は日付単位で未読の画像データの有無を判別することができるとともに、その数も把握することが可能となる。なお、未読フォルダｄ４１１が設けられ、合計数が表示されるのは表示画面ｄ３と同様である。
【図面の簡単な説明】
【００６７】
【図１】本実施形態における診断支援システムのシステム構成を示す図である。
【図２】図１の診断支援システムを小規模な医療機関に適用した一例を示す図である。
【図３】図１の制御装置の内部構成を示す図である。
【図４】図３のデータメモリ内のフォルダ構成を示す図である。
【図５】制御装置により実行されるサマリ画面の表示処理を説明するフローチャートである。
【図６】（ａ）画像データの一覧表示を行うサマリ画面例を示す図である。（ｂ）医療データの一覧表示を行うサマリ画面例を示す図である。
【図７】画像データ又は医療データの種類毎に未読の有無を示す表示画面である。
【図８】画像データ又は医療データの取得日毎に未読の有無を示す表示画面である。
【符号の説明】
【００６８】
１  診断支援システム
２  画像生成装置
２ａ  超音波撮影装置
２ｂ  内視鏡撮影装置
２ｃ  ＣＲ撮影装置
３  制御装置
３１  制御部
３２  操作部
３３  表示部
３４  通信部
３５  記憶部
３６  データメモリ
【図１】
2008192044.tif 000003
【図２】
2008192044.tif 000004
【図３】
2008192044.tif 000005
【図４】
2008192044.tif 000006
【図５】
2008192044.tif 000007
【図６】
2008192044.tif 000008
【図７】
2008192044.tif 000009
【図８】
2008192044.tif 000010